(57)【要約】【課題】可動ノズルを用いずに、洗浄物の上面側から下面側に亘って洗浄できる洗浄装置を提供する。【解決手段】洗浄装置10は、搬送手段26により灯体11aを搬送方向に沿って搬送する。回転手段27により搬送手段26に対して灯体11aを回転させる。位置固定の上側固定ノズル28aから、搬送手段26によって搬送される灯体11aに上方から高圧温水を吹き付ける。搬送手段26の搬送方向の端部に対向して配設された位置固定の下側固定ノズル28bから、搬送手段26によって搬送方向の端部に搬送される灯体11aに下方から高圧温水を吹き付ける。【選択図】図１
2014180632.tif 000002
【特許請求の範囲】
【請求項１】
洗浄物を搬送方向に沿って搬送する搬送手段と；
搬送手段に対して洗浄物を回転させる回転手段と；
搬送手段によって搬送される洗浄物に上方から洗浄液を吹き付ける位置固定の上側固定ノズルと；
搬送手段の搬送方向の端部に対向して配設され、搬送手段によって搬送方向の端部に搬送される洗浄物に下方から洗浄液を吹き付ける位置固定の下側固定ノズルと；
を具備していることを特徴とする洗浄装置。
【請求項２】
搬送手段で搬送方向の端部に搬送する洗浄物の位置を洗浄物の径に応じて制御する制御部を具備している
ことを特徴とする請求項１記載の洗浄装置。
【請求項３】
洗浄物は、下部側が上部側より小径で、下部側の側面に漏洩バルブが設けられた航空標識灯の灯体であり、
搬送手段は、灯体の下部側が上方から挿入されて灯体の上部側の周辺部下面を支持する円筒状の洗浄台を具備している
ことを特徴とする請求項１または２記載の洗浄装置。
【発明の詳細な説明】
【技術分野】
【０００１】
本発明の実施形態は、洗浄物を洗浄する洗浄装置に関する。
【背景技術】
【０００２】
従来、洗浄物として例えば空港の滑走路などに埋め込み設置されている航空標識灯を洗浄する洗浄装置がある。航空標識灯を洗浄する場合、航空標識灯を滑走路などから取り外し、所定の場所に設置されている洗浄装置にセットして洗浄している。
【０００３】
洗浄装置では、セットされた航空標識灯を回転させながら、航空標識灯に高圧水を吹き付けて洗浄するようにしている。
【０００４】
また、洗浄室の底部に搬送手段を配設し、搬送手段によって航空標識灯を洗浄室に搬送し、洗浄室内に配置されている複数の可動ノズルによって航空標識灯に上方から砥粒を吹き付けるとともに、複数の可動ノズルを３６０°往復回転させることにより、航空標識灯の上面全体を洗浄する洗浄装置がある。
【先行技術文献】
【特許文献】
【０００５】
【特許文献１】特開平６−２７２２２０号公報
【特許文献２】特開昭６１−１４３１０号公報
【発明の概要】
【発明が解決しようとする課題】
【０００６】
しかしながら、可動ノズルを可動させて航空標識灯の上面全体を洗浄するようにした場合、可動ノズルに高圧水などを供給するために可撓性を有するホースを用いなければならず、ホースであるために外れたり破損しやすい問題がある。しかも、可動ノズルを可動させるための機構が複雑化および大形化する問題もある。
【０００７】
また、従来の洗浄装置では、航空標識灯の下面側は洗浄していなかった。航空標識灯の周辺部下面は滑走路などに埋め込み設置されている基台に取り付けられるため、航空標識灯の周辺部下面も洗浄することが好ましい。
【０００８】
本発明が解決しようとする課題は、可動ノズルを用いずに、洗浄物の上面側から下面側に亘って洗浄できる洗浄装置を提供することである。
【課題を解決するための手段】
【０００９】
実施形態の洗浄装置は、搬送手段により洗浄物を搬送方向に沿って搬送する。回転手段により搬送手段に対して洗浄物を回転させる。位置固定の上側固定ノズルから、搬送手段によって搬送される洗浄物に上方から洗浄液を吹き付ける。搬送手段の搬送方向の端部に対向して配設された位置固定の下側固定ノズルから、搬送手段によって搬送方向の端部に搬送される洗浄物に下方から洗浄液を吹き付ける。
【発明の効果】
【００１０】
本発明によれば、搬送手段で搬送するとともに回転手段で回転する洗浄物に上側固定ノズルから洗浄液を吹き付けて洗浄し、さらに、搬送手段の搬送方向の端部に対向して下側固定ノズルを配設し、搬送手段で搬送方向の端部に搬送するとともに回転手段で回転する洗浄物に下側固定ノズルから洗浄液を吹き付けて洗浄することができるため、可動ノズルに代えて固定ノズルを用いて洗浄物を洗浄できるとともに、洗浄物の上面側から下面側に亘って洗浄することが期待できる。
【図面の簡単な説明】
【００１１】
【図１】一実施形態を示す洗浄装置の上面側洗浄工程の概略断面図である。
【図２】同上洗浄装置の下面側洗浄工程の概略断面図である。
【図３】同上洗浄装置の正面図である。
【図４】同上洗浄装置の洗浄台の分解状態の断面図である。
【図５】同上洗浄装置のブロック図である。
【発明を実施するための形態】
【００１２】
以下、一実施形態を、図１ないし図５を参照して説明する。
【００１３】
図１ないし図３に示すように、洗浄装置10は、洗浄物としての航空標識灯11を洗浄する。航空標識灯11は、空港の滑走路に埋め込み設置される基台と、この基台上に着脱可能に取り付けられる灯体11aとを有している。この航空標識灯11の灯体11aを基台から外し、所定の場所に設置されている洗浄装置10の場所に運搬し、洗浄装置10によって灯体11aを洗浄する。
【００１４】
図４に示すように、灯体11aは、上端周辺部にフランジを有する下部灯体11b、および下部灯体11bより大径で下部灯体11bのフランジ上に取り付けられた上部灯体11cを有している。下部灯体11bの側面には、灯体11aの内部に気体を圧入して灯体11aの気密性をチェックするための漏洩バルブ11dが設けられている。すなわち、灯体11aは、下部側が上部側より小径で、下部側の側面に漏洩バルブ11dが設けられている。そして、灯体11aは、内部に配置された光源からの光を上部灯体11cに設けられた窓部から外部に照射するように構成されている。
【００１５】
図１ないし図３に示すように、洗浄装置10は、機体12を有し、この機体12の前部に着脱部13が設けられ、この着脱部13の後方にシャッタ14（図５参照）によって開閉される開口部15が形成されている。開口部15を通じて着脱部13と機体12内との間で円筒状の洗浄台16が移動するように構成され、着脱部13に移動した洗浄台16に対して灯体11aを着脱可能としている。機体12の前面には、洗浄スタートを含む操作部（図示せず）が配設されている。
【００１６】
図４に示すように、洗浄台16は、台座部17、およびこの台座部17上に着脱可能に取り付けられる円筒状のホルダ部18を有している。ホルダ部18は、灯体11aの下部灯体11bが上方から挿入されて下部灯体11bのフランジの下面（以下、灯体11aの上部側の周辺部下面と呼ぶ）を支持する。ホルダ部18は、台座部17の上面から突設された複数のピン17aに、ホルダ部18の下部周辺部に設けられた取付部18aを嵌め込んで取り付けられており、台座部17に対して着脱可能になっている。そして、洗浄する灯体11aには径が異なる種類があるため、それに対応して径が異なる複数種類のホルダ部18が用意され、洗浄する灯体11aの種類に対応したホルダ部18を台座部17に取り付けるように構成されている。
【００１７】
図５に示すように、洗浄装置10は、灯体11aに洗浄液としての高圧温水を吹き付けて洗浄する洗浄槽20、洗浄槽20で洗浄に使用した温水を回収する回収槽21、回収槽21に回収された温水を加圧して洗浄槽20に供給する高圧温水供給手段22、回収槽21に温水を補給する補給槽23、冷却用の水槽24、およびエアー供給手段25などを有している。
【００１８】
そして、洗浄槽20には、着脱部13の位置と洗浄槽20内の所定の洗浄位置との間で洗浄台16を直線状に搬送する搬送手段26が配置されている。搬送手段26は、洗浄台16を搭載する移動台26a、この移動台26aを直線状に移動可能とするガイド26b、および移動台26aをガイド26bに沿って移動させる駆動部26cを備えている。洗浄位置には、搬送手段26による洗浄槽20内への搬送方向の端部より手前の中間位置である上面側洗浄位置（図１参照）、この上面側洗浄位置より洗浄槽20の奥側であって洗浄槽20内への搬送方向の端部側である下面側洗浄位置（図２参照）が含まれる。搬送手段26の移動台26aには、洗浄台16とともに灯体11aを回転させる回転手段27が配設されている。
【００１９】
洗浄槽20内には、灯体11aに洗浄用の高圧温水を吹き付ける複数の高圧温水吹付け手段28、灯体11aに洗浄用および冷却用の水を吹き付ける１つまたは複数の水吹付け手段29、および灯体11aに乾燥用のエアーを吹き付けるエアー吹付け手段30が配置されている。これら吹付け手段28，29，30は、例えばノズルによって構成されており、洗浄位置で洗浄台16とともに回転する灯体11aの全体に対して高圧温水、水、エアーがそれぞれ効率よく拭き付けられるように配置されている。
【００２０】
高圧温水吹付け手段28は、搬送手段26の搬送方向の端部より手前の中間位置である上面側洗浄位置の上方に対向して固定位置に配設された上側固定ノズル28aと、搬送手段26の搬送方向の端部に対向して固定位置に配設された下側固定ノズルと28bを備えている。上側固定ノズル28aは、搬送手段26で上面側洗浄位置に搬送される灯体11aに上方から高圧温水を吹き付けて洗浄する。下側固定ノズル28bは、搬送手段26で搬送方向の端部である下面側洗浄位置に搬送される灯体11aに下方から高圧温水を吹き付けて洗浄する。これらノズル28a，28bは、１つでも複数でもよく、複数の場合には配置する位置を変えたり高圧温水の吹き付け方向を変えて灯体11aを効率よく洗浄できるようにすることが好ましい。また、これらノズル28a，28bから高圧温水を吹き付ける範囲における吹き付け圧力が均等となるノズル構造とすることが好ましい。
【００２１】
洗浄槽20の底部には、灯体11aに吹き付けた温水や水を貯留する貯留部31が形成され、この貯留部31の底部に温水や水を回収槽21に排水（回収）する複数本の回収配管32が接続されている。貯留部31には、排水する温水や水から異物などを捕獲して取り除くフィルタ33が配置されている。貯留部31の上部側には、貯留する温水や水が所定量以上に達した場合に、オーバーフローする温水や水を水槽24に排水するオーバーフロー配管34が接続されている。なお、複数本の回収配管32を用いるのは、洗浄槽20の温水が流出する際の流量を確保するとともに、洗浄槽20の高さ寸法を小さくすることによる。１本の配管で所望の流出量を確保しようとすると、配管の直径が大きくなり、この配管を洗浄槽20の側面に接続した場合には高さ寸法を必要とするが、複数本とすることにより、例えば横に並べて配置することが可能となり、洗浄槽20の高さ寸法が大きくなるのを抑えることができる。
【００２２】
洗浄槽20の上部には、高圧温水の吹き付けによって発生する蒸気を排気する排気ファン35が設置されている。排気ファン35には、蒸気を排水管36に排気する排気ダクト37が接続されている。
【００２３】
また、回収槽21は、洗浄槽20から回収される温水および補給槽23から補給される温水を貯留する。回収槽21の上部には、洗浄槽20から回収配管32によって回収される温水を受け入れる受部40が配設され、この受部40に温水を濾過するフィルタ41が配置され、このフィルタ41で濾過された温水が回収槽21内に流入する。
【００２４】
回収槽21には、温水を所定の温度に沸き上げる第１の沸上手段としてのヒータ42が配置されている。沸き上げる温水の温度は、例えば６０℃以上であって、好ましくは７０〜７５℃とされている。
【００２５】
回収槽21には、回収槽21に貯留されている温水の水位を検知する水位検知手段43が配設されている。
【００２６】
回収槽21の底部側には、取出配管44および排水管36が接続されている。取出配管44および排水管36には、それぞれ管内の流路を開閉する電動弁45，46が配設されている。回収槽21内には、取出配管44に対してストレーナ47が配置されている。
【００２７】
回収槽21の上部側には、貯留する温水が所定量以上に達した場合に、オーバーフローする温水を水槽24に排水するオーバーフロー配管48が接続されている。
【００２８】
また、高圧温水供給手段22は、温水を加圧して送る高圧ポンプ51を有している。高圧ポンプ51の吸込み側と回収槽21との間に取出配管44が接続され、高圧ポンプ51の吐出側と洗浄槽20の高圧温水吹付け手段28との間に高圧温水供給配管52が接続されている。取出配管44には、管内の流路を開閉する電動弁45、回収槽21の温水を高圧ポンプ51へ送る送水ポンプ53、および高圧ポンプ51へ送る温水を濾過するフィルタ54が配設されている。高圧温水供給配管52は上側固定ノズル28a側と下側固定ノズル28b側とに流路が分岐され、各流路には流路を開閉する電動弁55a，55bが配設されている。
【００２９】
そして、回収槽21、取出配管44、高圧温水供給手段22、高圧温水供給配管52、洗浄槽20、および回収配管32などによって、回収槽21の温水を循環使用する循環路56が構成されている。また、回収配管32には電動三方弁57を介して水槽24につながる排水用配管58が接続されており、これら電動三方弁57、排水用配管58および水槽24などによって、洗浄槽20の温水や水を回収槽21に回収するのではなく排水管36に排水する排水手段59が構成されている。
【００３０】
また、補給槽23は、水供給手段61から水を供給されて貯留する。水供給手段61は、例えば水道水などの水を補給槽23に供給する給水管62、および給水管62内の流路を開閉する電動弁63を有している。
【００３１】
補給槽23には、水を所定の温度に沸き上げる第２の沸上手段としてのヒータ64が配置されている。温水の温度は、例えば６０℃以上であって、好ましくは７０〜７５℃としている。
【００３２】
補給槽23には、補給槽23に貯留されている温水の水位を検知する水位検知手段65が配設されている。
【００３３】
補給槽23には回収槽21に温水を補給する補給配管66が接続され、補給配管66には流路を開閉する電動弁67が配設されている。
【００３４】
補給槽23の上部側には、貯留する温水が所定量以上に達した場合に、オーバーフローする温水を排水管36に排水するオーバーフロー配管68が接続されている。
【００３５】
また、水槽24は、水供給手段61から供給される水を貯留する。水供給手段61は、例えば水道水などの水を水槽24に供給する給水管70、および給水管70内の流路を開閉する電動弁71を有している。
【００３６】
水槽24の上部には、洗浄槽20から回収配管32、電動三方弁57および排水用配管58によって排水される温水や水を受け入れる受部72が配設され、この受部72に温水や水を濾過するフィルタ73が配設され、このフィルタ73で濾過された温水や水が水槽24内に流入する。
【００３７】
水槽24には、水槽24に貯留されている温水の水位を検知する水位検知手段24aが配設されている。
【００３８】
水槽24には、排水管36が接続され、この排水管36の接続部分に管内を開閉する電動弁74が配設されている。
【００３９】
水槽24には、貯留する温水や水が所定量以上に達した場合に、オーバーフローする温水や水を排水管36に排水するオーバーフロー配管75が接続されている。
【００４０】
水槽24と取出配管44の温水流れ方向におけるフィルタ54より上流側であって送水ポンプ53の吸込み側位置である取出配管44との間に冷却水循環配管76が接続され、この冷却水循環配管76内の流路を開閉する電動弁77が配設されている。取出配管44には温水流れ方向におけるフィルタ54の下流側であって高圧ポンプ51とフィルタ54との間に三方電動弁78が配設され、この三方電動弁78と水槽24とが冷却水循環配管79で接続されている。そして、送水ポンプ53により水槽24の水をフィルタ54を通じて水槽24に循環させてフィルタ54を冷却するフィルタ冷却手段80が構成されている。
【００４１】
また、水供給手段61は、例えば水道水などの水を洗浄槽20の水吹付け手段29に供給する給水管82、および給水管82内の流路を開閉する電動弁83を有している。
【００４２】
また、エアー供給手段25は、図示しないエアー供給源に接続されたエアー供給管85、およびこのエアー供給管85内の流路を開閉する電動弁86を有している。エアー供給管85は洗浄槽20のエアー吹付け手段30に接続されている。
【００４３】
また、回収槽21には、回収槽21の温水を浄化する浄化手段88が配設されている。この浄化手段88は、回収槽21に接続された浄化用循環路89、この浄化用循環路89に回収槽21内の温水を循環させる循環ポンプ90、および浄化用循環路89内を流通する温水を濾過するフィルタ91を備えている。
【００４４】
また、回収槽21には、回収槽21内の温水の温度を低下させる放熱手段93が配設されている。この放熱手段93は、回収槽21に接続された放熱用循環路94、この放熱用循環路94に回収槽21内の温水を循環させる循環ポンプ95、および放熱用循環路94内を流通する温水の熱を放熱させる放熱部96を備えている。放熱部96は、例えば配管に複数の放熱フィンを設けて構成される。
【００４５】
また、洗浄装置10は、この洗浄装置10を制御する制御部99を備えている。制御部99は、搬送手段26で搬送方向の端部に搬送する灯体11aの位置を灯体11aの径に応じて制御する機能を有している。
【００４６】
なお、上記の各種電動弁は、その全部または一部を電磁弁としてもよい。
【００４７】
次に、洗浄装置10の動作を説明する。
【００４８】
洗浄装置10による洗浄動作は、回収槽21および補給槽23に所定の温度および所定量の温水が貯留されている状態で行われる。
【００４９】
着脱部13に移動している洗浄台16に灯体11aを装着し、機体12の前面の図示しない操作部で洗浄スタートを操作することにより、搬送手段26によって洗浄台16および灯体11aが開口部15から機体12内に移動し、シッャタ14が閉じ、洗浄槽20内で灯体11aを洗浄する洗浄工程を開始する。
【００５０】
洗浄工程では、プレヒート処理、高圧温水洗浄処理、冷却処理、乾燥処理を順に行う。
【００５１】
プレヒート処理は、灯体11aの温度を上昇させて洗浄効果を高めるようにする。上面側洗浄位置へ移動する灯体11aを回転手段27で回転させながら、灯体11aの上面中央を含む全体に上側固定ノズル28aから高圧温水を吹き付ける。なお、プレヒート処理時の高圧温水の圧力は、高圧温水洗浄処理時よりも低圧としてもよい。また、上側固定ノズル28aとはプレヒート専用の上側固定ノズルを用いて、灯体11aが上面側洗浄位置に移動する間にプレヒート処理を効率的に行うようにしてもよい。
【００５２】
プレヒート処理が完了したら、連続して、次の高圧温水洗浄処理に移る。高圧温水洗浄処理は、上面側洗浄工程と下面側洗浄工程とがある。
【００５３】
上面側洗浄工程においては、上面側洗浄位置に移動した灯体11aを回転手段27で回転させながら、必要に応じて搬送手段26で搬送方向に移動または往復移動させながら、電動弁55aを開いて供給される高圧温水を上側固定ノズル28aから灯体11aの上面および側面を含むこれら全体に吹き付けて洗浄する。
【００５４】
上面側洗浄工程が完了したら、電動弁55aを閉じて上側固定ノズル28aからの高圧温水の吹き付けを停止した後、連続して、次の下面側洗浄工程に移る。下面側洗浄工程においては、搬送手段26によって上面側洗浄位置から搬送方向の端部である下面側洗浄位置に灯体11aを移動させる。このとき、洗浄する灯体11aの径に応じて、灯体11aと下側固定ノズル28bとの位置関係が適切になるように灯体11aを移動させる。下面側洗浄位置に移動した灯体11aを回転手段27で回転させながら、必要に応じて搬送手段26で搬送方向に往復移動させながら、電動弁55bを開いて供給される高圧温水を上側固定ノズル28aから、灯体11aの上部側の周辺部下面および側面を含むこれら全体に吹き付けて洗浄する。
【００５５】
このとき、下側固定ノズル28bは搬送方向の端部に配設されているので、灯体11aの径に応じて灯体11aの移動距離を調整することにより、径の異なる灯体11aであっても略等しい距離で高圧温水を吹き付けることができる。これに対し、搬送方向に沿う側方に設けた場合には、径の異なる灯体11aとの距離を等しくすることはできない。灯体11aの下部灯体11bが洗浄台16に挿入されていて、下部灯体11bの側面に設けられている漏洩バルブ11dが隠蔽されているため、高圧温水が漏洩バルブ11dに吹き付けられて漏洩バルブ11dから灯体11aの内部に侵入するのを防止できる。
【００５６】
この高圧温水洗浄処理において、一例として、高圧温水の温度は７０〜７５℃、圧力は２０ＭＰａ、流量は毎分９リットルである。
【００５７】
なお、下面側洗浄工程を先に行った後で上面側洗浄工程を行ってもよく、また、上側固定ノズル28aと下側固定ノズル28bとの位置関係で上面側洗浄工程と下面側洗浄工程の一部あるいは全部を並行して同時に行ってもよい。
【００５８】
そして、このようなプレヒート処理および高圧温水洗浄処理においては、取出配管44の電動弁45を開き、送水ポンプ53および高圧ポンプ51を駆動し、高圧温水供給配管52の電動弁55a，55bを選択的に開く。これにより、送水ポンプ53で回収槽21から取り出した温水をフィルタ54および高圧ポンプ51に送り、高圧ポンプ51で温水を加圧し、加圧した高圧温水を高圧温水吹付け手段28に供給し、高圧温水を灯体11aに吹き付ける。
【００５９】
洗浄槽20で灯体11aに吹き付けられた温水は、洗浄槽20の底部に流れ落ち、フィルタ33で濾過され、回収配管32を通じて回収槽21の受部40に流れ、この受部40のフィルタ41で濾過されて回収槽21に戻る。
【００６０】
回収槽21に戻る温水は、配管や灯体11aなどとの接触で温度低下するものの、回収槽21内の温水の温度より多少低下した程度の温度であるため、洗浄に使用された温水が回収槽21に戻っても回収槽21内の温水の温度低下への影響は少なく、また、ヒータ42によって温度低下を迅速に補うことができる。そのため、回収槽21からは、一定の温度の温水を洗浄用に供給することができ、安定した洗浄効果を維持できる。
【００６１】
また、高圧温水洗浄処理が完了すれば、高圧温水の供給を停止し、次の冷却処理に移る。冷却処理では、灯体11aを回転させながら、水吹付け手段29から灯体11aに水を吹き付け、灯体11aを冷却することにより、灯体11aを洗浄装置10から取り出す際に灯体11aを直ぐに取り出せるようにする。冷却処理では、水供給手段61の電動弁83を開くことにより、水を水吹付け手段29に供給する。
【００６２】
この冷却処理では、電動三方弁57を洗浄槽20に対して回収槽21側から排水用配管58側の流路に切り換える。そのため、灯体11aに吹き付けられた水が水槽24の受部72に流れ、フィルタ73で濾過されて水槽24に流入し、水槽24の水位に応じて電動弁74を開くことにより、水槽24内の水を排水管36に排水する。
【００６３】
例えば処理時間を短縮するために、高圧温水洗浄処理が完了直後に冷却処理を行う場合、洗浄槽20および回収配管32に残留している温水が排水経路に流れる。そのまま、温度の高いまま温水を排水管36に流すと、排水管36などに悪い影響が生じるおそれがある。そこで、洗浄槽20および回収配管32に残留していた温水を水槽24に受け入れて水槽24内の水と混合させることで、排水管36などに影響のない温度まで低下させた後、排水管36に排水することにより、排水管36を保護できる。
【００６４】
また、冷却処理が完了すれば、水の供給を停止し、次の乾燥処理に移る。乾燥処理では、エアー供給手段25の電動弁86を開くことにより、エアー吹付け手段30から回転している灯体11aに吹き付けて乾燥させる。
【００６５】
なお、乾燥処理に入った後、あるいは乾燥処理後に、電動三方弁57を洗浄槽20に対して排水用配管58側から回収槽21からの流路に切り換える。
【００６６】
また、乾燥処理が完了し、洗浄工程が完了すれば、シャッタ14を開き、洗浄後の灯体11aを着脱部13に移動させる。着脱部13に移動した灯体11aを洗浄台16から外し、次に洗浄する灯体11aを洗浄台16に装着し、図示しない操作部で洗浄スタートを操作することにより、上述した洗浄工程を開始する。
【００６７】
また、径が異なる灯体11aの洗浄を行う場合には、洗浄台16の台座部17から現在のホルダ部18を取り外し、これから洗浄を行おうとする径の灯体11aに対応した径のホルダ部18を洗浄台16の台座部17に取り付けることにより、径が異なる灯体11aを洗浄台16に装着できる。また、図示しない操作部で洗浄しようとする灯体11aの径または種類を設定した後、洗浄スタートを操作することにより、洗浄工程を開始し、上述した下面側洗浄工程において、洗浄する灯体11aの径に応じて、灯体11aと下側固定ノズル28bとの位置関係が適切になるように灯体11aを移動させて適切に洗浄できる。
【００６８】
また、洗浄工程を繰り返していくと、冷却処理で温水の一部が排水されることから、循環使用する温水の量が低下し、回収槽21における温水の水位が低下する。水位検知手段43で回収槽21の水位が所定量以下に低下したことを検知したら、制御部99の制御により、補給槽23に接続されている補給配管66の電動弁67を開き、補給槽23の温水を回収槽21に補給する。
【００６９】
補給槽23から補給する温水の温度は、回収槽21に貯留される温水の温度と同程度であるため、温水の補給によって回収槽21の温水の温度が低下することはなく、一定の温度に保つことができる。そのため、回収槽21に温水を補給しても、一定の温度の温水を洗浄用に供給することができ、安定した洗浄効果を維持できる。
【００７０】
補給によって補給槽23の水位が低下したら、電動弁63を開いて補給槽23に水を給水し、給水によって補給槽23の温水の温度が低下したらヒータ64で所定の温度に沸き上げる。
【００７１】
また、洗浄工程を繰り返すことで、フィルタ54の目詰まりなどで能力不足が生じた場合には、高圧温水の供給を停止し、取出配管44に対してフィルタ54を交換することになる。この場合、フィルタ54は、温水が流れているために温度が高く、取り扱い可能な温度に低下するまで交換することができない。自然放熱では、温度が低下するまで長時間待たなければならないことになる。そこで、フィルタ冷却手段80によってフィルタ54を強制的に冷却して温度を低下させる。
【００７２】
フィルタ冷却手段80では、冷却水循環配管76の電動弁77を開き、三方電動弁78をフィルタ54に対して高圧ポンプ51側から冷却水循環配管79側の流路に切り換え、送水ポンプ53を駆動する。これにより、水槽24に貯留されている水がフィルタ54に流れてフィルタ54を冷却し、冷却水循環配管79を通じて水槽24に戻る。フィルタ54の温度が早期に低下し、待ち時間が短く、フィルタ54を交換することができる。
【００７３】
また、回収槽21の浄化手段88を作動させることにより、回収槽21の温水に含まれる温水に含まれる異物や汚れなどを取り除いて浄化し、この温水に含まれる異物や汚れなどが高圧ポンプ51や送水ポンプ53などに影響するのを低減できる。
【００７４】
また、洗浄完了後、洗浄装置10を停止させる場合、回収槽21内の温水を排水する。このとき、回収槽21の温水を温度の高いまま排水管36に流すと、排水管36などに悪い影響が生じるおそれがある。また、回収槽21の温水が排水しても影響のない温度に低下するには長時間待たなければならない。そこで、放熱手段93により、回収槽21の温水を強制的に放熱させて排水しても影響のない温度に低下させる。
【００７５】
放熱手段93では、循環ポンプ95によって回収槽21の温水を放熱部96に循環させ、この放熱部96で効率よく放熱させる。そして、回収槽21の温水を排水しても影響のない温度まで低下させた後に、電動弁46を開いて回収槽21の温水を排水管36に排水する。
【００７６】
このように構成された洗浄装置10は、搬送手段26で搬送するとともに回転手段27で回転する灯体11aに上側固定ノズル28aから高圧温水を吹き付けて洗浄し、さらに、搬送手段26の搬送方向の端部に対向して下側固定ノズル28bを配設し、搬送手段26で搬送方向の端部に搬送するとともに回転手段27で回転する灯体11aに下側固定ノズル28bから高圧温水を吹き付けて洗浄することができるため、可動ノズルに代えて固定ノズル28a，28bを用いて灯体11aを洗浄できるとともに、灯体11aの上面側から下面側に亘って洗浄することができる。
【００７７】
また、搬送手段26で搬送方向の端部に搬送する灯体11aの位置を灯体11aの径に応じて制御するため、灯体11aの径に対応して適切に洗浄することができる。
【００７８】
また、洗浄時、灯体11aの下部側が洗浄台16に挿入されていて、下部側の側面に設けられている漏洩バルブ11dが隠蔽されているため、高圧温水が漏洩バルブ11dに吹き付けられて漏洩バルブ11dから灯体11aの内部に侵入するのを防止できる。
【００７９】
なお、洗浄物としては、航空標識灯11の灯体11aに限らず、他の洗浄対象物でもよい。
【００８０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８１】
10    洗浄装置
11    洗浄物としての航空標識灯
11a   灯体
11d   漏洩バルブ
16    洗浄台
26    搬送手段
27    回転手段
28a   上側固定ノズル
28b   下側固定ノズル
99    制御部
【図１】
2014180632.tif 000003
【図２】
2014180632.tif 000004
【図３】
2014180632.tif 000005
【図４】
2014180632.tif 000006
【図５】
2014180632.tif 000007